(57)【要約】【課題】集合住宅用インターホンシステムにおいて、集合住宅のリニューアルの場合でも、配線調整の手間が低減される共同玄関子機を提供する。【解決手段】個別配線式の共同玄関子機１０において、接続端子Ｔ、…Ｔの各々に対して所望の住戸番号の登録操作を受け付ける登録操作部１１と、登録操作部１１によって登録された住戸番号を記憶する住戸番号記憶部１８と、住戸番号を指定した呼出操作を受け付ける呼出操作部１１と、呼出操作された住戸番号に対応した接続端子Ｔを選択して、その接続端子Ｔに接続されている住戸親機３０との間に伝送路を形成させる回線選択回路１５とを備える。【選択図】図１
2014241501.tif 000002
【特許請求の範囲】
【請求項１】
複数の接続端子の各々に１台の住戸親機が接続される個別配線式の共同玄関子機において、
前記複数の接続端子の各々に対して所望の住戸番号の登録操作を受け付ける登録操作部と、
前記登録操作部によって登録された住戸番号を記憶する住戸番号記憶部と、
住戸番号を指定した呼出操作を受け付ける呼出操作部と、
前記呼出操作部によって呼出操作された住戸番号に対応した接続端子を選択して、その接続端子に接続されている住戸親機との間に伝送路を形成させる回線選択回路とを備えた、
共同玄関子機。
【請求項２】
請求項１に記載の共同玄関子機において、
前記登録操作部は、前記住戸番号記憶部の記憶している住戸番号を一括消去する初期化操作を更に受け付ける、共同玄関子機。
【請求項３】
請求項１又は２に記載の共同玄関子機において、
来客を撮影するカメラ部を更に備え、
前記カメラ部は、撮影した画信号を前記回線選択回路によって形成された伝送路に出力する、共同玄関子機。
【請求項４】
請求項３に共同玄関子機において、
前記カメラ部は、前記回線選択回路によって形成された伝送路を通じて給電されることを特徴とする、共同玄関子機。
【請求項５】
請求項１−４のいずれかに記載の共同玄関子機を含めて構成された、集合住宅用インターホンシステム。
【請求項６】
請求項５に記載の集合住宅用インター穂システムにおいて、
前記共同玄関子機は、信号線によって共同玄関扉の電気錠制御装置に接続されている、集合住宅用インターホンシステム。
【発明の詳細な説明】
【技術分野】
【０００１】
本発明は、個別配線式の共同玄関子機及びそれを用いた集合住宅用インターホンシステムの改良に関する。
【背景技術】
【０００２】
図４に、前記のような共同玄関子機を用いた集合住宅用インターホンシステムの従来構成を示す。
【０００３】
このインターホンシステム１００は、住戸数の少ない小規模共同住宅あるいはテナントビル向けのシステムであって、各住戸に設置された住戸親機３０と、共同玄関に設置された共同玄関子機２０とで構成されている。住戸親機３０の各々は、個別の信号線によって共同玄関子機２０に接続されている。住戸親機３０はいずれもカメラ付ドアホン子器３１を備えている。
【０００４】
共同玄関子機２０は、住戸毎に専用の呼出キー１１ｂを備えたいわゆるフルキータイプであって、住戸親機３０をそれぞれ接続するための接続端子（図示なし）を複数備えており、その接続端子の各々に１台の住戸親機３０が接続できるようになっている。呼出キー１１ｂと接続端子との対応関係はハードウェア的に固定されており変更はできない。そのため一般的な利用形態では、呼出キー１１ｂの各々に呼出先の住戸番号シールを貼り付ける等して、その対応関係が表記される。
【０００５】
また共同玄関子機２０は、共同玄関扉の電気錠制御装置４０に接続されている。この電気錠制御装置４０を住戸親機３０側から制御するため、住戸親機３０の各々は、前記個別の信号線とは異なる信号線によって共同玄関子機２０に接続されている。
【０００６】
なお次の特許文献には、類似した従来技術の一例として、個別配線式の共同玄関システムが提案されている。このシステムは、住戸番号を入力し通話を行うドアホンと、ドアホンよりの住戸番号に基づき対応する住戸に交換接続する交換機とを備えた玄関部と、電話機を備えた住戸部とが、個別の信号線によって接続されている。
【先行技術文献】
【特許文献】
【０００７】
【特許文献１】特開平05-219249号公報
【発明の概要】
【発明が解決しようとする課題】
【０００８】
図４に示したような従来のインターホンシステムでは、住戸親機を接続する接続端子と、呼出キーとの対応関係がハードウェア的に固定されており、変更できない。そのため集合住宅のリニューアルによって住戸配置が変更された場合には、住戸配置に整合する呼出キー配置とするため、共同玄関子機の接続端子に対する結線のずらし調整等が必要となり、非常に手間がかかっていた。このような問題は、特許文献１に記載の共同玄関システムでも同様であると考えられる。
【０００９】
そこで本発明は、そのような集合住宅のリニューアルの場合でも、配線調整の手間が低減される共同玄関子機及び集合住宅用インターホンシステムを提供することを目的とする。
【課題を解決するための手段】
【００１０】
本発明による共同玄関子機は、複数の接続端子の各々に１台の住戸親機が接続される個別配線式の共同玄関子機において、前記複数の接続端子の各々に対して所望の住戸番号の登録操作を受け付ける登録操作部と、前記登録操作部によって登録された住戸番号を記憶する住戸番号記憶部と、住戸番号を指定した呼出操作を受け付ける呼出操作部と、前記呼出操作部によって呼出操作された住戸番号に対応した接続端子を選択して、その接続端子に接続されている住戸親機との間に伝送路を形成させる回線選択回路とを備える。
【００１１】
前記登録操作部は、前記住戸番号記憶部の記憶している住戸番号を一括消去する初期化操作を更に受け付けるようにしてもよい。
【００１２】
前記共同玄関子機は、来客を撮影するカメラ部を更に備え、前記カメラ部は、撮影した画信号を前記回線選択回路によって形成された伝送路に出力するようにしてもよい。
【００１３】
前記カメラ部は、前記回線選択回路によって形成された伝送路を通じて給電されるようにしてもよい。
【００１４】
本発明による集合住宅用インターホンシステムは、前記共同玄関子機を含めて構成される。
【００１５】
前記共同玄関子機は、信号線によって共同玄関扉の電気錠制御装置に接続されていてもよい。
【発明の効果】
【００１６】
本発明では、共同玄関子機における接続端子と部屋番号との対応関係がハードウェア的に固定されておらず、自由に変更できる。そのため集合住宅のリニューアルの際に、既存の配線、住戸番号の登録を活用することにより、最小限の配線調整と、住戸番号の登録変更をするだけで、集合住宅における住戸配置に整合した住戸番号の登録が得られ、作業の手間も大幅に低減される。
【図面の簡単な説明】
【００１７】
【図１】本発明の実施形態の例を示す共同玄関子機の基本構成を示すブロック図である。
【図２】図１に示した共同玄関子機を用いたインターホンシステムの基本的な構成図である。
【図３】（ａ）、（ｂ）はいずれも住戸番号記憶部に記憶された住戸番号の例を示す表である。
【図４】従来技術によるインターホンシステムの構成図である。
【発明を実施するための形態】
【００１８】
図１は、本発明を適用した共同玄関子機の基本構成の一例を示し、図２はその共同玄関子機を用いたインターホンシステムの基本構成の一例を示している。
【００１９】
共同玄関子機１０は、複数の親機接続端子Ｔ、…Ｔの各々に１台の住戸親機３０が接続される個別配線式であり、特に本発明は、端子Ｔの各々に対して所望の住戸番号が登録できることを特徴とするものである。なお端子Ｔ、…Ｔの数は一例として８としているが、これに限定されるわけではない。また個別配線の信号線Ｌの各々はツイステッドペア線等が利用できる。
【００２０】
共同玄関子機１０の基本構成を図１について説明する。図中、テンキー回路１１は、テンキー１１ａ、呼出キー１１ｂからなるキーマトリクス回路である。設定スイッチ１２は、共同玄関子機１０の動作モードを、初期設定モードと通常モードのいずれか一方に設定切換するためのスイッチである。
【００２１】
初期設定モードは端子Ｔ毎に所望の住戸番号を登録するモードあり、通常モードは呼出操作によって指定された住戸の住戸親機３０との間で呼出通話を許可するモードである。ここにテンキー回路１１は、初期設定モードにおいては、端子Ｔの各々に対する住戸番号の登録操作を受け付ける登録操作部として機能する一方、通常モードにおいては、住戸番号を指定した呼出操作を受け付ける呼出操作部として機能する。なおここで登録操作部と、呼出操作部は共通の回路（テンキー回路１１）によって構成されているが、別々の回路として構成してもよい。
【００２２】
通話部１３は、スピーカ、マイク、音声回路（いずれも図示なし）等からなり、住戸親機３０側との通話音声を再生、集音する。伝送回路１４は、住戸親機３０との間で画信号や音声信号を多重伝送するために変復調等を行う回路である。
【００２３】
回線選択回路１５は、端子Ｔ、…Ｔの内から、呼出操作によって指定された住戸番号に対応した端子Ｔを選択して、その端子Ｔに接続されている住戸親機３０との間に伝送路を形成させる回路である。すなわち回線選択回路１５は、制御部１７の制御によって、端子Ｔ、…Tの内のいずれかを選択的に伝送回路１４に接続させる。
【００２４】
住戸親機３０から共同玄関子機１０に伝送される解錠信号も、画信号や音声信号と同様に、回線選択回路１５によって形成される伝送路を通じて多重伝送することができる。そうすれば、住戸親機３０と共同玄関子機１０との間に解錠信号を伝送するための信号線を別途設ける必要がないので、配線施工が簡単になる。
【００２５】
カメラ部１６は、ＣＣＤあるいはＣＭＯＳイメージセンサやレンズ（いずれも図示なし）等からなる。カメラ部１６が撮影した画信号は、伝送回路１４を通じ、回線選択回路１５によって形成された伝送路に出力されて、目的の住戸親機３０まで伝送される。カメラ部１６への電源供給は、その伝送路によって、住戸親機３０から供給してもよい。そうすれば、共同玄関子機１０の電源容量を小さくできるし、住戸親機３０がカメラ付ドアホン子器３１に対応したものであれば、住戸親機３０に特段の設計変更も必要とされない。
【００２６】
制御部１７はマイコン等からなり、端子Ｔ毎に登録された住戸番号を記憶する住戸番号記憶部１８を備え、共同玄関子機１０を通常モード又は初期設定モードで動作させる。住戸番号記憶部１８は、ＥＥＰＲＯＭ等の書換え可能な不揮発性メモリで構成するとよい。
【００２７】
また共同玄関子機１０は、共同玄関扉の電気錠（図示なし）を制御する電気錠制御装置４０を接続する接続端子Ｋと、逆マスターキーシリンダ１９とを備えている。制御部１７は、住戸親機３０から伝送されてくる解錠信号と、逆マスターキーシリンダ１９の状態とに基づいて、端子Ｋから施解錠信号を出力する。
【００２８】
図２に示しているように、インターホンシステム１は、各住戸に設置された住戸親機３０と、共同玄関に設置された共同玄関子機１０とで構成される。住戸親機３０の各々は、個別の信号線Ｌによって共同玄関子機１０に接続されている。住戸親機３０はいずれもカメラ付ドアホン子器３１を備えている。共同玄関子機１０は、電気錠制御装置４０が信号線Ｍによって接続されている。
【００２９】
共同玄関子機１０の筐体正面には、カメラ部１６のレンズ孔１６ａと、小型液晶パネル２０と、テンキー１１ａ、呼出キー１１ｂと、スピーカ用通音孔１３ａと、マイク孔１３ｂと、逆マスターキーシリンダ１９の鍵穴１９ａと、電源ランプ２１とが設けられている。また共同玄関子機１０の筐体側面に設けられた扉奥等に、設定スイッチ１２が設けられている（破線で示している）。
【００３０】
小型液晶パネル２０は、通常モード、初期設定モードの双方において、操作ガイド、住戸番号、端子番号等を表示する。
【００３１】
共同玄関子機１０は、設定スイッチ１２の操作によって、初期設定モード又は通常モードの動作を開始する。以下、それぞれのモードにおける基本動作を説明する。
【００３２】
初期設定モードでは、小型液晶パネル２０と、テンキー１１ａとによる対話操作によって、端子Ｔ毎に住戸番号が登録される。その際、小型液晶パネル２０には操作ガイドが適宜表示されるが、スピーカからガイド音声を出力すると尚よい。
【００３３】
住戸番号の登録操作の具体的な手順は特に制限されない。要は、端子Ｔ毎に、その端子Ｔに接続された住戸親機３０の設置された住戸の住戸番号が自由に登録、変更できればよい。例えば操作対象の端子番号を小型液晶パネル２０に順番に表示して、その端子番号に対する住戸番号の入力を促すようにしてよい。住戸番号は、テンキー１１ａによって入力でき、入力された住戸番号は、端子番号と関連付けられて住戸番号記憶部１８に記憶される。住戸番号の割当てルールは特に制限されないので、住戸配置等、集合住宅の事情に適したものにするとよい。例えば２階１号室の住戸番号は「２０１」としてもよいし、「０２１」としてもよいし、「２１」としてもよい。また使用しない端子Ｔ（未接続）に対しては、未使用を示す特定の値（例えば９９９）を登録するようにしてもよい。
【００３４】
また住戸番号の初期化として、所定のキー操作によって、住戸番号記憶部１８の記憶している住戸番号を一括消去できるようにするとよい。そのためのキー操作は特に制限されず、例えばテンキー１１ａで「＃＊＊＊」と操作するものとしてもよい。このような住戸番号の一括消去が可能であれば、集合住宅をリニューアルして、住戸の各々に住戸番号を付け直す場合に、旧い住戸番号が一部残存して不具合を生じるというおそれがなくなる。
【００３５】
図３（ａ）、（ｂ）はそれぞれ、集合住宅のリニューアル前後で住戸番号記憶部１８に記憶されている住戸番号の例である。ここに集合住宅は３階建であり、１階に管理室と２戸の住戸、２、３階にそれぞれ２戸の住戸が配置されていると想定している。また共同玄関子機１０の端子Ｔ、…Ｔの数は８と想定している。
【００３６】
集合住宅のリニューアル前では、住戸番号記憶部１８において、図３（ａ）に示すように、第１番目の端子Ｔには、管理室（共用部）として住戸番号「０００」が登録されている。同様にして、第２から第７番目までの端子Ｔには、１階１号室から３階２号室まで、部屋番号「１０１」から「３０２」がそれぞれ登録されている。第８番目の端子Ｔは未接続であって、未使用状態を示す値「９９９」が登録されている。
【００３７】
集合住宅のリニューアルでは、それまでの管理室を、新たな管理室と、住戸とに分割したと想定する。つまりリニューアル後には、１階に管理室と３個の住戸があることになる。２階、３階は変更されない。このとき管理室の住戸親機３０はそのまま使われるものとし、新たな住戸用として１台の住戸親機３０が追加されることとする。この場合、第１から第７番目までの端子Ｔ、…Ｔは結線のずらし調整等をする必要はなくそのままにしておき、新たに追加された住戸親機３０を、共同玄関子機１０の空いている第８番目の端子Ｔに接続すればよい。そして、初期設定モードによって、その第８番目の端子Ｔに対して、住戸番号「１０３」を登録すればよい。
【００３８】
図３（ｂ）は、そのような初期設定モードが実行された後の、端子Ｔの各々に対する住戸番号の登録状態を示している。図示のように、第１から第７番目の端子Ｔ、…Ｔに対する住戸番号は図３（ａ）の状態のままであり、第８番目の端子Ｔに対する住戸番号のみが「１０３」に変更されている。住戸番号「１０３」は、既存の住戸番号「１０１」、「１０２」からの連番なので、違和感を生じさせない。
【００３９】
通常モードは、共同玄関子機１０と住戸親機３０との間で従来と同様の呼出通話が行われるモードである。
【００４０】
具体的には、共同玄関子機１０において住戸番号を指定した呼出操作、つまりテンキー１１ａによる住戸番号の入力と、それに続く呼出キー１１ｂの操作によって呼出通話の動作が開始される。すなわち制御部１７は、呼出操作を検出すると、回路選択回路１５を制御して、指定された住戸番号に対応した端子Ｔに接続されている住戸親機３０との間に伝送路を形成させる。この伝送路が形成されると、住戸親機３０は呼出音の鳴動を開始すると共に、その伝送路を通じた共同玄関子機１０のカメラ部１６への電源供給を開始する。これにより住戸親機３０のモニタ画面に来客映像が表示される。住戸親機３０で応答動作がなされると、呼出音の鳴動が中止されて、来客との通話が可能になる。
【００４１】
その後、住戸親機３０で解錠操作がなされると、住戸親機３０から解錠信号が伝送され、共同玄関子機１０の制御部１７はその解錠信号を検出すると、電気錠制御装置４０を制御して、共同玄関扉を解錠させる。
【００４２】
本発明では、上記のような構成としているので、共同玄関子機１０で初期設定モードを実行することにより、任意の端子Ｔに対して部屋番号をいつでも登録、変更できる。すなわち端子Ｔ、…Ｔと部屋番号との対応関係がハードウェア的に固定されておらず、自由に変更できるようになっている。そのため集合住宅のリニューアルの際に、既存の配線、住戸番号の登録を活用することにより、最小限の配線調整と、住戸番号の登録変更をするだけで、集合住宅における住戸配置に整合した住戸番号の登録が得られ、作業の手間も大幅に低減される。
【符号の説明】
【００４３】
１            インターホンシステム
１０          共同玄関子機
１１          呼出操作部、登録操作部
１５          回線選択回路
１６          カメラ部
１８          住戸番号記憶部
３０          住戸親機
４０          電気錠制御装置
Ｔ            接続端子
【図１】
2014241501.tif 000003
【図２】
2014241501.tif 000004
【図３】
2014241501.tif 000005
【図４】
2014241501.tif 000006